(57)【要約】【課題】  送信したメールに対して表示部を見ることなくその送信成功および送信不成功を容易かつ確実に認識することができる通信端末装置および通信情報処理のプログラムを提供する。【解決手段】  制御部１３は、メールの送受信を中継するメールセンターを介して目的の相手先に対して無線送受信部１１によってメールを送信した際に、メールセンターから送信成功の情報を受けた場合と、送信不成功の情報を受けた場合とに応じて、それぞれ異なる種類の音若しくは異なる種類の振動の報知態様でスピーカ９やバイブレータ１０によって報知する。【選択図】  図１
2005072944.tif 000002
【特許請求の範囲】
【請求項１】
メールの送受信を中継するメールセンターを介して目的の相手先に対してメールを送信するメール送信手段と、
前記メールセンターからの着信を検知する着信検知手段と、
前記着信検知手段によって検知された着信の内容が、前記メール送信手段によって送信されたメールについての送信成功の情報であるか又は送信不成功の情報であるかに応じて、それぞれ異なる種類の音若しくは異なる種類の振動の報知態様で報知する制御手段と、
を備えた通信端末装置。
【請求項２】
操作に応じて所定の表示手段を動作状態又は非動作状態に切り替える切替手段をさらに備え、前記制御手段は前記表示手段が非動作状態である場合に限り送信成功の情報又は送信不成功の情報を異なる種類の音若しくは異なる振動パターン又はこれらの組み合わせによって報知することを特徴とする請求項１記載の通信端末装置。
【請求項３】
前記制御手段は、前記着信検知手段によって検知された着信の内容が送信不成功である場合において、その送信不成功に係るメールの再送信を前記メールセンターに委託するか又は委託しないかの指示を促す画面を所定の表示手段に表示することを特徴とする請求項１記載の通信端末装置。
【請求項４】
前記制御手段は、操作に応じて所定の表示手段が非動作状態から動作状態に切り替えられたときに前記再送信をメールセンターに委託するか又は委託しないかの指示を促す画面を前記表示手段に表示することを特徴とする請求項３記載の通信端末装置。
【請求項５】
前記制御手段は、前記着信検知手段によって検知された着信の内容が送信不成功である場合において、その送信不成功に係るメールが特定のメールである場合には、送信不成功の報知を行うことなくその特定のメールの再送信を前記メールセンターに委託することを特徴とする請求項１記載の通信端末装置。
【請求項６】
メールの送受信を中継するメールセンターを介して目的の相手先に対してメールを送信する第１のステップと、
前記メールセンターからの着信を検知する第２のステップと、
前記第２のステップによって検知された着信の内容が、前記第１のステップによって送信されたメールについての送信成功の情報であるか又は送信不成功の情報であるかに応じて、それぞれ異なる音や振動の報知態様で報知する第３のステップと、
を実行する通信情報処理のプログラム。
【請求項７】
前記第３のステップは、操作に応じて所定の表示手段を動作状態又は非動作状態に切り替える切替手段によって前記表示手段が非動作状態である場合に限り送信成功の情報又は送信不成功の情報を異なる種類の音若しくは異なる振動パターン又はこれらの組み合わせによって報知することを特徴とする請求項６記載の通信情報処理のプログラム。
【請求項８】
前記第３のステップは、前記第１のステップによって検知された着信の内容が送信不成功である場合において、その送信不成功に係るメールの再送信を前記メールセンターに委託するか又は委託しないかの指示を促す画面を所定の表示手段に表示することを特徴とする請求項６記載の通信情報処理のプログラム。
【請求項９】
前記第３のステップは、操作に応じて所定の表示手段が非動作状態から動作状態に切り替えられたときに前記再送信をメールセンターに委託するか又は委託しないかの指示を促す画面を前記表示手段に表示することを特徴とする請求項８記載の通信情報処理のプログラム。
【請求項１０】
前記第３のステップは、前記第１のステップによって検知された着信の内容が送信不成功である場合において、その送信不成功に係るメールが特定のメールである場合には、送信不成功の報知を行うことなくその特定のメールの再送信を前記メールセンターに委託することを特徴とする請求項６記載の通信情報処理のプログラム。
【発明の詳細な説明】
【技術分野】
【０００１】
本発明は、通信端末装置および通信情報処理のプログラムに関し、特に、送信したメールが相手先に届いたかどうかを確認できる通信端末装置および通信情報処理のプログラムに関するものである。
【背景技術】
【０００２】
近年における携帯電話などの通信端末装置の普及はめざましいものがあり、特に電話の即時性と開封時間に制限されない手紙の自由度の双方の利点を兼ね備えたメールは、老若男女を問わず広く利用されている。ただ、メールが目的の相手先に無事に届いたかどうかを判断するためには、送信した後に表示部に表示された送信成功のメッセージで確認しなければならないという煩わしさがあった。
この対策として、メールが正常に送信されたか否かを目視確認する必要のない移動通信端末の提案がある。この提案によれば、メール送信機能を有した移動通信端末にメール送信失敗時および又はメール送信成功時に、バイブレータを振動させる手段を具備した構成になっている。この場合において、バイブレータを振動させるか否かを設定するユーザ操作手段と、ユーザ操作手段によって設定した内容を記憶する記憶手段とを具備した構成になっている。また、メール送信機能を有した移動通信端末にメール送信失敗時および又はメール送信成功時に、リンガを鳴動させる手段を具備した構成になっている（特許文献１参照）。
【特許文献１】特開２００２−１８５５８４号公報（段落番号「０００５」、「０００６」、「００２１」、「００２５」、図４、図５、図７、図８）
【発明の開示】
【発明が解決しようとする課題】
【０００３】
しかしながら、上記特許文献１の構成においては、発明の実施の形態の図４および図７から明らかなように、メール送信失敗時とメール送信成功時とをそれぞれ独立してバイブレータやリンガで報知する構成になっている。この場合には、メール送信失敗時又はメール送信成功時のいずれか一方を報知するのか、あるいは、メール送信失敗時およびメール送信成功時の両方を報知するのか、両方とも報知しないかの４通りの設定が考えられる。課題を解決するための手段の項においても、「メール送信失敗時および又はメール送信成功時に、バイブレータを振動（又はリンガを鳴動）させる手段を具備」とあるが、発明の実施の形態の項においては、メール送信失敗時およびメール送信成功時の両方を報知する設定にした場合に、その報知がメール送信失敗時であるか又はメール送信成功時であるかを識別するための手段については記載されていない。
【０００４】
すなわち、この文献の段落番号「００２１」に記載されているように、図５の画面５０１に示されている機能メニューにおいて、メール送信エラー通知を選択すると、画面５０２になり、メール送信エラー通知の設定を有効（Ｙｅｓ）にするか又は無効（Ｎｏ）にするかをユーザが設定する構成になっている。一方、段落番号「００２５」に記載されているように、図８の画面８０１に示されている機能メニューにおいて、メール送信完了通知を選択すると、画面８０２になり、メール送信完了通知の設定を有効（Ｙｅｓ）にするか又は無効（Ｎｏ）にするかをユーザが設定する構成になっている。この構成によれば、メール送信エラー通知のみを設定する場合、メール送信完了通知のみを設定する場合、メール送信エラー通知およびメール送信完了通知の両方を設定する場合、両方とも通知しない場合の４通りの場合があるので、ユーザの選択肢が多すぎて誤設定が起こる可能性が高い。
【０００５】
さらに、バイブレータやリンガ音による報知は、触覚や聴覚のように感覚的な情報であるのに対して、バイブレータを振動させるか否か又はリンガ音を鳴動させるか否かの条件を、メール送信失敗時にするか若しくはメール送信成功時にするか又は両方にするかという４通りもの設定は、極めて複雑な論理思考的な情報である。このため、設定した初期の段階や設定を変えた場合などには、感覚的な情報と論理思考的な情報とがうまく整合せず、バイブレータやリンガ音による報知の際に、どの設定にしたかをとっさに思い出せず、勘違いが起こるおそれもある。
【０００６】
本発明は、上記従来の課題を解決するためになされたものであり、送信したメールに対して表示部を見ることなくその送信成功および送信不成功を容易かつ確実に認識することができる通信端末装置および通信情報処理のプログラムを提供することを目的とする。
【課題を解決するための手段】
【０００７】
請求項１に記載の通信端末装置は、メールの送受信を中継するメールセンターを介して目的の相手先に対してメールを送信するメール送信手段（実施形態においては、図１の無線送受信部１１に相当する）と、メールセンターからの着信を検知する着信検知手段（実施形態においては、図１の無線信号処理部１２に相当する）と、着信検知手段によって検知された着信の内容が、メール送信手段によって送信されたメールについての送信成功の情報であるか又は送信不成功の情報であるかに応じて、それぞれ異なる種類の音若しくは異なる種類の振動の報知態様（実施形態においては、図１のスピーカ９によるリンガ音若しくは図１のバイブレータ１０による振動に相当する）で報知する制御手段（実施形態においては、図１の制御部１３に相当する）と構成になっている。
【０００８】
請求項１の通信端末装置において、請求項２に記載したように、操作に応じて所定の表示手段（実施形態においては、図１の表示部４に相当する）を動作状態又は非動作状態に切り替える切替手段（実施形態においては、開閉検出スイッチ又は直接にバックライトをオン・オフするためのスイッチに相当する）をさらに備え、制御手段は表示手段が非動作状態である場合に限り送信成功の情報又は送信不成功の情報を異なる種類の音（実施形態においては、パターン１およびパターン２の音色に相当する）若しくは異なる振動パターン（実施形態においては、パターン１およびパターン２の振動リズムに相当する）又はこれらの組み合わせによって報知する構成にしてもよい。
【０００９】
また、請求項１の通信端末装置において、請求項３に記載したように、制御手段は、着信検知手段によって検知された着信の内容が送信不成功である場合において、その送信不成功に係るメールの再送信をメールセンターに委託するか又は委託しないかの指示を促す画面を所定の表示手段（実施形態においては、図１の表示部４に相当する）に表示する構成にしてもよい。
さらに、この場合において、請求項４に記載したように、制御手段は、操作に応じて所定の表示手段が非動作状態から動作状態に切り替えられたときに再送信をメールセンターに委託するか又は委託しないかの指示を促す画面を表示手段に表示する構成にしてもよい。
【００１０】
請求項１の通信端末装置において、請求項５に記載したように、制御手段は、着信検知手段によって検知された着信の内容が送信不成功である場合において、その送信不成功に係るメールが特定のメールである場合には、送信不成功の報知を行うことなくその特定のメールの再送信をメールセンターに委託する構成にしてもよい。
【００１１】
請求項６に記載の通信情報処理のプログラムは、メールの送受信を中継するメールセンターを介して目的の相手先に対してメールを送信する第１のステップと、メールセンターからの着信を検知する第２のステップと、第２のステップによって検知された着信の内容が、第１のステップによって送信されたメールについての送信成功の情報であるか又は送信不成功の情報であるかに応じて、それぞれ異なる種類の音若しくは異なる種類の振動の報知態様（実施形態においては、図１のスピーカ９によるリンガ音若しくは図１のバイブレータ１０による振動に相当する）で報知する第３のステップとを実行する構成になっている。第１ないし第３のステップは、実施形態においては、図１の制御部１３の処理に相当する。
【００１２】
また、請求項６のプログラムにおいて、請求項７に記載したように、第３のステップは、操作に応じて所定の表示手段（実施形態においては、図１の表示部４に相当する）を動作状態又は非動作状態に切り替える切替手段（実施形態においては、開閉検出スイッチ又は直接にバックライトをオン・オフするためのスイッチに相当する）によって表示手段が非動作状態である場合に限り送信成功の情報又は送信不成功の情報を異なる種類の音若しくは異なる振動パターン又はこれらの組み合わせによって報知する構成にしてもよい。
【００１３】
また、請求項６のプログラムにおいて、請求項９に記載したように、第３のステップは、第１のステップによって検知された着信の内容が送信不成功である場合において、その送信不成功に係るメールの再送信をメールセンターに委託するか又は委託しないかの指示を促す画面を所定の表示手段（実施形態においては、図１の表示部４に相当する）に表示する構成にしてもよい。
さらに、この場合において、請求項８に記載したように、第３のステップは、操作に応じて所定の表示手段が非動作状態から動作状態に切り替えられたときに再送信をメールセンターに委託するか又は委託しないかの指示を促す画面を表示手段に表示する構成にしてもよい。
【００１４】
さらに、請求項６のプログラムにおいて、請求項１０に記載したように、第３のステップは、第１のステップによって検知された着信の内容が送信不成功である場合において、その送信不成功に係るメールが特定のメールである場合には、送信不成功の報知を行うことなくその特定のメールの再送信をメールセンターに委託する構成にしてもよい。
【発明の効果】
【００１５】
本発明の通信端末装置又は通信情報処理のプログラムは、送信したメールについてメールセンターから着信を受けた際に、その着信の内容が送信成功の情報であるか又は送信不成功の情報であるかに応じて、それぞれ異なる音や振動の報知態様で報知するので、送信したメールに対して表示部を見ることなくその送信成功および送信不成功を容易かつ確実に認識することができるという効果が得られる。
【発明を実施するための最良の形態】
【００１６】
以下、本発明による通信端末装置の第１および第２の実施形態について、携帯電話を例に採って説明する。各実施形態における携帯電話は、キースイッチおよび大部分の電子部品を搭載した回路基板などを収容する本体部と、表示部およびこの表示部の照明を構成するバックライトなどを収容する蓋部とが、ヒンジ部を回転軸として折りたためる構造になっている。蓋部と本体とが閉じられた状態（折りたたまれた状態）においては、無駄な電力消費を防止するために、バックライトはオフとなって表示部は非動作状態、すなわち暗い画面になっている。一方、蓋部が開かれた状態においてはバックライトがオンとなり、表示部は待受画面やその他の画面が明るく表示される動作状態になる。このため、蓋部が開いているか又は閉じているか否かを検出するための開閉検出スイッチが設けられている。なお、蓋部を持たない構造の携帯電話においては、直接にバックライトをオン・オフするためのスイッチが設けられている。
【００１７】
図１は、各実施形態における携帯電話の構成を示すブロック図である。まず、機構的な構成について説明する。携帯電話１の本体ケース（図示せず）には、送受信のアンテナ２、音声発生用のスピーカ３、カラー液晶などからなる表示部４、スイッチ入力部５、音声入力用のマイク６、着脱自在な記憶媒体でデータの読み出しおよび書き込みが可能なメモリカード７、発光で着信を通知する背面表示部８、リンガ音で着信を通知するスピーカ９が設けられている。
【００１８】
スイッチ入力部５には、ダイヤルスイッチと兼用の文字入力スイッチ、クリアスイッチ、カーソルスイッチ、表示されたアイコンに対応するスイッチ（後述するＯＫスイッチなど）、発信スイッチなど（図示せず）のほかに、オフフックスイッチ５１およびオンフックスイッチ５２が設けられている。また、背面表示部８は、透明又は半透明の部材で構成され、着信に応じて点滅するＬＥＤ８１を内蔵している。また、振動によって着信を通知するバイブレータ１０が本体ケースに内蔵されている。
【００１９】
次に、電気的な構成について説明する。無線送受信部１１は、アンテナ２を介して、変調された音声やデータを送信又は受信する。無線信号処理部１２は、無線送受信部１１によって受信された音声やデータを復調し、無線送受信部１１によって送信される音声やデータを変調する。制御部１３は、システムバスを介してコマンドおよびデータの授受を行ってこの装置全体を制御する。また、内部にタイマ１３１を備えている。
【００２０】
加入者情報記憶部１４は、アドレス帳エリア、着信履歴エリア、発信履歴エリアなどで構成されている。システムＲＯＭ１５は、制御部１３によって実行される通信制御処理のプログラム、合成音声データ、種々の初期データなどを記憶している。メモリ１６は、制御部１３によって処理されるデータを一時的に記憶するワークエリアであり、各種のレジスタやフラグのエリアが設けられている。
【００２１】
音声信号処理部１７は、通話中の音声信号や合成音声データの音声信号をディジタルからアナログに変換してスピーカ３に与えて発音させるとともに、マイク６からの音声信号をアナログからディジタルに変換して制御部１３に入力する。ドライバ１８は、背面キー８のＬＥＤ８１、スピーカ９、およびバイブレータ１０を駆動する。ドライバ１９は、表示部４を駆動する。ドライバ２０は、メモリカード７を駆動する。
【００２２】
次に、図１の構成による第１の実施形態の動作について、図２ないし図６に示す制御部１３の動作フローチャートを参照して説明する。
図２において、所定のイニシャライズ処理を行い、メモリ１６内の各種のレジスタをクリアし、各種のフラグを０にリセットする（ステップＳ１）。次に、開閉検出スイッチの状態を示すフラグＳＷＦが１（蓋部が開いた状態）であるか、又はＳＷＦが０（蓋部が閉じた状態）であるかを判別する（ステップＳ２）。ＳＷＦが１である場合には、待受画面を点灯表示し（ステップＳ４）、オフフック操作がされたか否かを判別する（ステップＳ４）。
【００２３】
オフフック操作がされたときは、入力番号の画面を表示し（ステップＳ５）、番号入力がされたか否かを判別する（ステップＳ６）。番号入力がされたときは、その入力された番号を表示する（ステップＳ７）。次に、発信スイッチがオンされたか否かを判別する（ステップＳ８）。このスイッチがオンでない場合には、クリアスイッチがオンされたか否かを判別する（ステップＳ９）。このスイッチがオンされたときは、ステップＳ３に移行して再び待受画面を表示する。このスイッチがオンでない場合には、ステップＳ６に移行して番号入力を待つ。
【００２４】
ステップＳ８において、発信スイッチがオンされたときは、無線送受信部１１を介して入力された番号の相手先に発呼して呼出音を報知し（ステップＳ１０）、回線接続が確立したか否かを判別する（ステップＳ１１）。回線接続が確立したときは、通話処理に遷移し（ステップＳ１２）、相手先のユーザとの通話が行われる。その後は、オンフック操作がされたか否かを判別し（ステップＳ１３）、オンフック操作がなされたときは回線切断を行って、ステップＳ３に移行して、再び待受画面を点灯表示する。なお、ステップＳ２において、ＳＷＦが０である場合には、待受画面を消灯する（ステップＳ１４）。
【００２５】
ステップＳ４において、オフフックスイッチがオンでない場合には、図３のフローチャートにおいて、メールスイッチがオンされたか否かを判別する（ステップＳ１５）。このスイッチがオンされたときは、メールメニュー画面を表示し（ステップＳ１６）、その画面に選択アイコンを表示する（ステップＳ１７）。このメールメニュー画面には、新規作成のほか、受信ＢＯＸ、送信ＢＯＸ、データフォルダ、メール設定などが表示される。選択アイコン画像は、その中の１つのメニューの表示色などを変えて、そのメニューの選択がスタンバイしていることを明示する画像である。
【００２６】
次に、カーソルスイッチがオンされたか否かを判別し（ステップＳ１８）、このスイッチがオンされたときは、選択アイコンの位置を移動する（ステップＳ１９）。そして、決定スイッチがオンされたか否かを判別する（ステップＳ２０）。このスイッチがオンでない場合には、クリアスイッチがオンされたか否かを判別する（ステップＳ２１）。このスイッチがオンされたときは、図２のステップＳ３に移行して再び待受画面を点灯表示する。このスイッチがオンでない場合には、ステップＳ１８に移行して、カーソルスイッチがオンされたか否かを判別する。
【００２７】
ステップＳ２０において、決定スイッチがオンされたときは、選択アイコンの位置が新規作成であるか否かを判別する（ステップＳ２２）。新規作成でない場合には、選択アイコンの位置がその他のメニューであるか否かを判別する（ステップＳ２３）。その他のメニューである場合には、その他の処理を実行して（ステップＳ２４）、ステップＳ１６に移行して、再びメールメニュー画面を表示する。
【００２８】
ステップＳ１５において、メールスイッチがオンでない場合、又は、図２のステップＳ１４において待受画面を消灯した後は、図４のフローチャートにおいて、電話着信を検知したか否かを判別する（ステップＳ２５）。電話着信を検知したときは、リンガ若しくはバイブレータ又はこれらの両方で着信を報知する（ステップＳ２６）。次に、ＳＷＦが１であるか否かを判別する（ステップＳ２７）。すなわち、蓋部が開かれたか否かを判別する。ＳＷＦが１である場合には、コール画面を表示して電話着信があることを通知する（ステップＳ２８）。そして、オフフックスイッチがオンされたか否かを判別する（ステップＳ２９）。
【００２９】
オフフックがオンでない場合、又は、ステップＳ２７においてＳＷＦが０で蓋部が閉じられている場合には、ステップＳ２６の着信報知を続行する。ステップＳ２９において、オフフックスイッチがオンされたときは、着信報知を停止して（ステップＳ３０）、通話処理に遷移する（ステップＳ３１）。この後、オンフックスイッチがオンされたか否かを判別し（ステップＳ３２）、このスイッチがオンされたときは、回線切断を行って図２のステップＳ３に移行して、再び待受画面を点灯表示する。
【００３０】
図５のステップＳ２５において、電話着信を検知しない場合には、メール着信を検知したか否かを判別する（ステップＳ３３）。メール着信を検知したときは、受信ＢＯＸへ着信メールをストアし（ステップＳ３４）、リンガ若しくはバイブレータ又はこれらの両方でメール着信を報知する（ステップＳ３５）。そして、一定時間が経過したか否かを判別する（ステップＳ３６ａ）。一定時間が経過したときは、メール着信の報知を停止して（ステップＳ３６ｂ）、図２のステップＳ３に移行して、再び待受画面を点灯表示する。
【００３１】
ステップＳ３３において、メール着信を検知しない場合には、メールセンターによる通知があったか否かを判別する（ステップＳ３７）。この通知は、メールを送信した相手先が不在などで届かない場合に、そのメールをメールセンターに預けて再送信の委託を行ったときに、その委託を了承した旨を示す通知である。メールセンターによる通知があったときは、再送信を委託したメールを送信ＢＯＸにストアする（ステップＳ３８）。この後、又は、ステップＳ３７において通知がない場合には、図２のステップＳ３に移行して、再び待受画面を点灯表示する。
【００３２】
図３のステップＳ２２において、選択アイコンの位置が新規作成である場合には、図５のフローチャートにおいて、新規メール作成処理を行う（ステップＳ３９）。すなわち、作成操作に応じて、相手先のメールアドレスを表示し、件名（subject）が入力されたときは件名を表示し、本文を表示する。また、これらを送信バッファにストアする。そして、発信スイッチがオンされたか否かを判別する（ステップＳ４０）。このスイッチがオンでない場合には、クリアスイッチがオンされたか否かを判別する（ステップＳ４１）。このスイッチがオンでない場合には、ステップＳ３９に移行して、新規メール作成処理を続行するが、このスイッチがオンされたときは、図３のステップＳ１６に移行して、再びメールメニュー画面を表示する。
【００３３】
ステップＳ４０において、発信スイッチがオンされたときはメール送信を行い（ステップＳ４１ａ）、送信が終了したか否かを判別する（ステップＳ４２ｂ）。この後、メールセンターからの通知によって、送信成功であるか送信不成功であるかを判別する（ステップＳ４３）。送信成功である場合には、そのメールを送信ＢＯＸにストアする（ステップＳ４４）。そして、ＳＷＦが１であるか否かを判別する（ステップＳ４５）。すなわち、蓋部が開かれていて、表示部が見られる状態であるか否かを判別する。ＳＷＦが１である場合には、送信成功の表示を行う（ステップＳ４６）。そして、ＯＫスイッチがオンされたか否かを判別し（ステップＳ４７）、このスイッチがオンされたときは、図３のステップＳ１６に移行して、再びメールメニュー画面を表示する。
【００３４】
ステップＳ４５において、ＳＷＦが０である場合、すなわち、蓋部が閉じられていて、表示部が見られない状態である場合には、リンガ音若しくはバイブレータ又はこれらの組み合わせによるパターン１で送信成功の報知をする（ステップＳ４８）。そして、一定時間が経過したか否かを判別する（ステップＳ４９ａ）。一定時間が経過したときは、送信成功の報知を停止して（ステップＳ４９ｂ）、図２のステップＳ３に移行して、再び待受画面を点灯表示する。
【００３５】
ステップＳ４３において、送信不成功である場合には、図６のフローチャートにおいて、ＳＷＦが１であるか否かを判別する（ステップＳ５０）。ＳＷＦが０で表示部が見られない状態である場合には、リンガ音若しくはバイブレータ又はこれらの組み合わせにより、パターン２で送信不成功を報知する（ステップＳ５１）。図５のステップＳ４８におけるパターン１とこのパターン２との相違は、例えば、リンガ音を異なる音色やリズムで報知し、バイブレータを異なる振動リズムで報知する。パターン２で送信不成功を報知している間は、ステップＳ５０においてＳＷＦが０から１に変化したか否かを監視し、ＳＷＦが０の状態である場合には、パターン２の報知を継続する。
【００３６】
ＳＷＦが０から１に変化したとき、すなわち、蓋部が開かれて表示部が見られる状態になったときは報知を停止して（ステップＳ５２ａ）、蓄積可否選択画面を表示する（ステップＳ５２ｂ）。この蓄積可否選択画面には、送信不成功になったメールをメールセンターに預けて、再送信を委託するか否かを問い合わせる内容が表示される。例えば、蓄積可を選択する「再送信を委託する場合には９の番号を押して下さい」、蓄積否を選択する「再送信を委託しない場合には０の番号を押して下さい」のようなメッセージが表示される。そして、蓄積可が選択されたか否かを操作に応じて判別する（ステップＳ５３）。蓄積可が選択されたときは、メールセンターにその旨を通知する（ステップＳ５４）。そして、ＯＫスイッチがオンされたか否かを判別し（ステップＳ５５）、このスイッチがオンされたときは、図３のステップＳ１６に移行して、メールメニュー画面を表示する。
【００３７】
以上のように、この第１の実施形態によれば、制御部１３は、メールの送受信を中継するメールセンターを介して目的の相手先に対してメールを送信した際に、メールセンターから送信成功の情報を受けた場合と、送信不成功の情報を受けた場合とに応じて、それぞれ異なる種類の音若しくは異なる種類の振動の報知態様で報知する。したがって、送信したメールに対して表示部を見ることなくその送信成功および送信不成功を容易かつ確実に認識することができる。さらに、この第１の実施形態によれば、異なる種類の音若しくは異なる種類の振動の報知態様で報知するので、送信成功であるか又は送信不成功であるかをいずれも触覚や聴覚の情報の相違で判断するので、勘違いをするおそれがない。例えば、音で報知する場合には、送信成功のときは、遅いテンポで低い音程の音あるいはやさしいメロディの音色で報知し、送信不成功のときは、早いテンポで高い音程の音あるいは騒がしいメロディの音色で報知する。振動で報知する場合には、送信成功のときは、周波数の低い振動で報知し、送信不成功のときは、周波数の高い振動で報知する。
【００３８】
この場合において、操作に応じて所定の表示部４を動作状態（バックライトオン）又は非動作状態（バックライトオフ）に切り替える開閉検出スイッチをさらに備え、制御部１３は表示部４が非動作状態である場合に限り、送信成功の情報又は送信不成功の情報を異なる種類の音若しくは異なる振動パターン又はこれらの組み合わせによって報知する。したがって、ユーザが表示部４を見ていない状態を開閉検出スイッチによって認識した場合に、送信成功の情報又は送信不成功の情報を報知する合理的な構成になっている。
【００３９】
また、制御部１３は、メールセンターから受けた内容が送信不成功である場合において、その送信不成功に係るメールの再送信をメールセンターに委託するか又は委託しないかの指示を促す画面を表示部４に表示する。したがって、重要なメールと重要でないメールとを識別して、再送信をメールセンターに委託するメールを選択できる。
【００４０】
また、この場合において、制御部１３は、操作に応じて表示部４が非動作状態から動作状態に切り替えられたときに、指示を促す画面を表示部４に表示する。したがって、ユーザが蓋部を開けた直後に指示を促す画面を表示して、指示の入力を確実にユーザに伝えることができる。
【００４１】
次に、本発明の第２の実施形態の動作について、図７に示す制御部１３のフローチャートに基づいて説明する。
図７は、メールが送信不成功の場合の処理を示すものである。図７において、図６に示した第１の実施形態の動作と同じものについては、同一の符号で表すとともに、その説明は省略する。図７における第２の実施形態においては、メールセンターからの通知が送信不成功である場合に、ＳＷＦが０のときの処理手順が第１の実施形態と異なっている。すなわち、ＳＷＦが０でユーザが表示部４を見ていないときは、その送信不成功のメールが特定のメールであるか否かを判別する（ステップＳ５６）。
【００４２】
例えば、メールの件名に「緊急」や「重要」などの文字やあらかじめ登録した記号がある場合には、特定のメールであると判断する。この場合には、音やバイブレータによるパターン２の報知をすることなく、自動的にメールセンターに対して再送信を委託する蓄積通知を行う（ステップＳ５７）。そして、図４のステップＳ２５に移行して、電話着信の有無を検知する。ステップＳ５６において、送信不成功のメールが特定のメールでない場合には、第１の実施形態の場合と同様に、ＳＷＦが０から１に変化するまで、すなわち、蓋部が開かれてユーザが表示部４を見る状態になるまで、リンガ音若しくはバイブレータ又はこれらの組み合わせにより、パターン２で送信不成功の報知を継続する。
【００４３】
以上のように、この第２の実施形態によれば、制御部１３は、メールセンターからの着信の内容が送信不成功である場合において、その送信不成功のメールが特定のメールである場合には、送信不成功の報知を行うことなく、その特定のメールの再送信をメールセンターに委託する。したがって、ユーザの指定により必ず送信したいメールについては、送信不成功の場合に必ず蓄積通知をメールセンターに通知するので、無駄な送信不成功の報知を行う必要がなくなる。
【００４４】
なお、上記第１の実施形態および第２の実施形態においては、携帯電話を例にとって本発明による通信端末装置について説明したが、本発明の適用範囲は携帯電話に限定するものではない。メールやメールに準じた情報について、送受信を中継する管理センターを介して送受信する携帯電話以外の通信端末装置においても、本発明を適用することは可能である。
【００４５】
また、上記第１の実施形態および第２の実施形態においては、システムＲＯＭ１５にあらかじめ格納されたプログラムを制御部１３が実行する通信端末装置の発明について説明したが、メモリカード７に記憶されているプログラムや、あるいは、インターネットなどのネットワークを介して無線送受信部１１によって外部のサーバからダウンロードしたプログラムを、書き込み可能なメモリにインストールして、制御部１３が実行する構成も可能である。この場合には、通信情報処理のプログラムの発明を実現できる。
【００４６】
すなわち、本発明の通信情報処理のプログラムは、メールの送受信を中継するメールセンターを介して目的の相手先に対してメールを送信する第１のステップと、メールセンターからの着信を検知する第２のステップと、第２のステップによって検知された着信の内容が、第１のステップによって送信されたメールについての送信成功の情報であるか又は送信不成功の情報であるかに応じて、それぞれ異なる報知態様で報知する第３のステップとを実行する。
【００４７】
また、本発明の通信情報処理のプログラムにおいて、第３のステップは操作に応じて表示手段を動作状態又は非動作状態に切り替える開閉検出スイッチによって表示手段が非動作状態である場合に限り、送信成功の情報又は送信不成功の情報を異なる種類の音若しくは異なる振動パターン又はこれらの組み合わせによって報知する。
【００４８】
また、本発明の通信情報処理のプログラムにおいて、第３のステップは、第１のステップによって検知された着信の内容が送信不成功である場合において、その送信不成功に係るメールの再送信をメールセンターに委託するか又は委託しないかの指示を促す画面を所定の表示手段に表示する。
さらに、この場合において、操作に応じて所定の表示手段が非動作状態から動作状態に切り替えられたときにメールセンターに委託するか又は委託しないかの指示を促す画面を前記表示手段に表示する。
【００４９】
また、本発明の通信情報処理のプログラムにおいて、第３のステップは、第１のステップによって検知された着信の内容が送信不成功である場合において、その送信不成功に係るメールが特定のメールである場合には、送信不成功の報知を行うことなくその特定のメールの再送信をメールセンターに委託する。
【図面の簡単な説明】
【００５０】
【図１】本発明の第１および第２の実施形態における携帯電話の構成を示すブロック図。
【図２】第１の実施形態の動作を示す制御部のフローチャート。
【図３】図２に続く第１の実施形態の動作を示す制御部のフローチャート。
【図４】図３に続く第１の実施形態の動作を示す制御部のフローチャート。
【図５】図３に続く第１の実施形態の動作を示す制御部のフローチャート。
【図６】図５に続く第１の実施形態の動作を示す制御部のフローチャート。
【図７】第２の実施形態の動作を示す制御部の一部のフローチャート。
【符号の説明】
【００５１】
１  携帯電話
２  アンテナ
３  音声発生用スピーカ
４  表示部
５  キー入力部
６  マイク
７  メモリカード
８  背面表示部
９  着信通知用スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８  着信報知用ドライバ
１９  表示用ドライバ
２０  メモリカード用ドライバ
５１  オフフックスイッチ
５２  オンフックスイッチ
８１  着信報知用ＬＥＤ
１３１  タイマ
【図１】
2005072944.tif 000003
【図２】
2005072944.tif 000004
【図３】
2005072944.tif 000005
【図４】
2005072944.tif 000006
【図５】
2005072944.tif 000007
【図６】
2005072944.tif 000008
【図７】
2005072944.tif 000009